(57)【要約】      （修正有）【課題】容易に手から取り外すことができる構造を有した手袋を提供する。【解決手段】指先部分が切断された指部４ａを有する手袋本体と、指部４ａの先端又は先端近傍に接続されたヒレ状の取外用部材５と、を備える指先開放型の手袋であって、取外用部材５が指部４ａの手の甲領域４１から手の平領域４２内に至るまで連続して接続され、さらに、取外用部材５が手の甲側に折り返し可能とされており、この取外用部材５を引っ張ることにより容易に手から取り外すことができる手袋である。【選択図】図３
0003178845.tif 000002
【実用新案登録請求の範囲】
【請求項１】
指先部分が切断された指部を有する手袋本体と、該指部の先端、又は、先端近傍に接続された取外用部材と、を備える指先開放型の手袋において、
前記取外用部材は、前記指部の手の平領域と手の甲領域のいずれにも、又は、前記手の甲領域と中心線上のいずれにも接続されていることを特徴とする手袋。
【請求項２】
前記取外用部材は、前記指部の先端の穴を塞ぐことなく前記指部の先端から手の甲側に折り返し可能とされていることを特徴とする請求項１に記載の手袋。
【請求項３】
前記取外用部材は、前記手袋本体の手の甲側に係着可能とされていることを特徴とする請求項１又は請求項２に記載の手袋。
【請求項４】
前記取外用部材は、ヒレ状部材とされ、
該ヒレ状部材は、前記手の甲領域から前記手の平領域内に至るまで、又は、前記手の甲領域から中心線上に至るまで連続して接続されていることを特徴とする請求項１乃至請求項３のいずれか１項に記載の手袋。
【請求項５】
前記取外用部材は、紐状部材とされ、
該紐状部材は、前記手の甲領域内における二カ所と前記手の平領域内における二カ所、若しくは、前記手の甲領域内における二カ所と前記中心線上の二カ所に接続されていることを特徴とする請求項１乃至請求項３のいずれか１項に記載の手袋。
【請求項６】
前記取外用部材は、少なくとも前記手袋本体の親指部分に接続されていることを特徴とする請求項１乃至請求項５のいずれか１項に記載の手袋。
【考案の詳細な説明】
【技術分野】
【０００１】
本考案は、手から容易に外すことができる手袋に関する。
【背景技術】
【０００２】
特定の指の先端だけ切断されたものや、全ての指の先端が切断されたものなど、多種の指先開放型の手袋がある。この指先開放型の手袋は、取り外すときに指先が無いため指の関節に引っかかり、非常に取り外しにくいという問題点がある。特に、自転車レース用の手袋などスポーツに使用する手袋は、手に密着するタイプが多く、さらに汗で濡れるため取外すのに非常に苦労する。そこで、容易に取り外すことができる指先開放型の手袋の提案が多々なされている。
【０００３】
例えば、特許文献１では、指通し部分の先端に引っ張り用のベロを設け、このベロを引っ張ることで指通し部分から容易に指を抜くことができる手袋の提案がなされている。また、特許文献２では、指通し部分の先端に人差し指から小指まで連続したヒレを設け、このヒレを引っ張ることで４本の指を同時に指通し部分から抜くことができる手袋の提案がなされている。
【先行技術文献】
【特許文献】
【０００４】
【特許文献１】実開平６−３７３２０号公報
【特許文献２】特開平９−４９１０９号公報
【考案の概要】
【考案が解決しようとする課題】
【０００５】
上述した特許文献１や特許文献２の提案では、指通し部分の先端にベロやヒレを設けることで手袋を外しやすくしている。しかしながら、特許文献１の提案では、指先における手の平側に引っ張り用のベロを設けているため、手袋を着用した状態で何らかの作業をするときにベロが邪魔になったり、着用時のフィット感に問題があることがあった。また、特許文献２の提案では、指先における手の甲側にのみヒレを設けているため、自転車レース用の手袋など、指に密着する手袋では取外すのに苦労することがあった。
【０００６】
本考案は、これらの問題点に鑑みてなされたものであり、容易に手から取り外すことができる構造を有した手袋を提供することを目的としている。
【課題を解決するための手段】
【０００７】
本考案は、指先部分が切断された指部を有する手袋本体と、該指部の先端、又は、先端近傍に接続された取外用部材と、を備える指先開放型の手袋において、前記取外用部材は、前記指部の手の平領域と手の甲領域のいずれにも、又は、前記手の甲領域と中心線上のいずれにも接続されていることを特徴とする。
【０００８】
前記取外用部材は、前記指部の先端の穴を塞ぐことなく前記指部の先端から手の甲側に折り返し可能とされていることを特徴とする。
【０００９】
前記取外用部材は、前記手袋本体の手の甲側に係着可能とされていることを特徴とする。
【００１０】
前記取外用部材は、ヒレ状部材とされ、該ヒレ状部材は、前記手の甲領域から前記手の平領域内に至るまで、又は、前記手の甲領域から中心線上に至るまで連続して接続されていることを特徴とする。
【００１１】
前記取外用部材は、紐状部材とされ、該紐状部材は、前記手の甲領域内における二カ所と前記手の平領域内における二カ所、若しくは、前記手の甲領域内における二カ所と前記中心線上の二カ所に接続されていることを特徴とする。
【００１２】
前記取外用部材は、少なくとも前記手袋本体の親指部分に接続されていることを特徴とする。
【考案の効果】
【００１３】
本考案によれば、容易に手から取り外すことができる構造を有した手袋を提供することができる。
【図面の簡単な説明】
【００１４】
【図１】本考案の実施形態における手袋の正面図である。
【図２】上記手袋を指先から見た模式図である。
【図３】取外用部材が指部の手の甲側に折り返された状態の拡大模式図、指先に展開された状態の拡大模式図、及び、他の実施形態における取外用部材が指部の手の甲側に折り返された状態の拡大模式図である。
【図４】取外用部材がフラップでまとめられるタイプの手袋の正面図である。
【図５】別の実施形態における取外用部材が指部の手の甲側に折り返された状態の拡大模式図、及び、指先に展開された状態の拡大模式図である。
【図６】さらに別の実施形態における取外用部材が指部の手の甲側に折り返された状態の拡大模式図、及び、指先に展開された状態の拡大模式図である。
【考案を実施するための形態】
【００１５】
以下、本考案の実施形態を図に基づいて詳細に述べる。図１は、本実施形態における手袋１の正面図（手の甲側から見た図）である。図１に示すように、手袋１は、手袋本体３と、手袋本体３の指先に接続された取外用部材５と、を備える。この手袋１は、取外用部材５を使用することにより使用者の手に嵌めた手袋本体３を容易に取り外すことができることを特徴とする。
【００１６】
手袋本体３は、手の甲や手の平部分を覆う手部３１と、指先部分が切断されて先端が略環状となった５本の指部４と、を備える。５本の指部４は、親指部４ａ、人差し指部４ｂ、中指部４ｃ、薬指部４ｄ、小指部４ｅと、からなる。一般に手袋本体３は、複数の布材（弾性材料なども含む）で縫製されており、指部４も複数の布材を縫製することにより形成されている。本実施形態における指部４は、図２に示すように、親指部４ａ、中指部４ｃ、薬指部４ｄがａ点、ｂ点、ｃ点、ｄ点の４カ所で縫製されており、人差し指部４ｂがａ点、ｂ点、ｄ点の３カ所で縫製されており、小指部４ｅがａ点、ｂ点、ｃ点の３カ所で縫製されている。ａ点及びｂ点は、指部４を手の平側の領域４２と手の甲側の領域４１に分割する中心線ｌよりも手の平側の領域（以下、手の平領域と称す。）４２に位置しており、ｃ点及びｄ点は、手の甲側の領域（以下、手の甲領域と称す。）４１に位置している。
【００１７】
取外用部材５は、図３（ａ）及び図３（ｂ）に示すように、ヒレ状の部材であり、指部４（図においては親指部４ａ）の先端に接続されている。そして、取外用部材５は、手の平領域４２内のａ点から手の甲領域４１を介して手の平領域４２内のｂ点まで連続するように接続されている。すなわち、取外用部材５は、指部４の先端における手の甲領域４１から手の平領域４２内に至るまで連続して接続されている。なお、図３（ａ）においては、取外用部材５を分かりやすくするために取外用部材５の部分にハッチングを描いている。
【００１８】
このように、取外用部材５を指部４に接続しているのは、取外用部材５を引っ張ることで指部４から指を抜く場合、指部４の周りにバランスよく引く力が加わるようにする必要があるからである。本実施形態によれば、取外用部材５が手の平領域４２内まで接続されているため、取外用部材５を引っ張ると指部４の周りにバランスよく引く力が加わり、容易に指部４から指を抜くことができる。なお、手に装着したときに余裕がある（遊びがある）タイプの手袋であれば、図３（ｃ）に示すように、指部４の先端における手の甲領域４１から中心線ｌ上まで取外用部材５を接続するものとしても容易に指部４から指を抜くことができる。
【００１９】
親指部４ａ、中指部４ｃ、薬指部４ｄなどの４カ所で縫製された指部４について述べたが、人差し指部４ｂ、小指部４ｅなどの３カ所で縫製されている指部４においても指部４の先端における手の甲領域４１から手の平領域４２内に至るまで取外用部材５を接続するものとすればよい。
【００２０】
なお、この取外用部材５は、図３（ａ）に示したように、指部４の先端から開口を塞ぐことなく手の甲側に折り返すことができる。そして、取外用部材５と指部４には図示しないが面ファスナーが貼付されている。すなわち、取外用部材５は、手の甲側に折り返した状態で指部４に係着されこととなる。よって、手袋１の着用中に取外用部材５が邪魔になることはない。
【００２１】
密着タイプの手袋の場合、最も取り外すのが大変なのが親指であった。そこで、親指部４ａのみ指部４の先端における手の甲領域４１から手の平領域４２内に至るまで取外用部材５を接続するものとし、他の指部４（４ｂ〜４ｅ）は手の甲領域４１から中心線ｌ上まで、あるいは、手の甲領域４１のみに取外用部材５を接続するものとしてもよい。また、取り外すのが困難な指が親指以外の指である場合、最も取り外すのが困難な指部４の先端における手の甲領域４１から手の平領域４２内に至るまで取外用部材５を接続するものとし、他の指部４（４ｂ〜４ｅ）は手の甲領域４１から中心線ｌ上まで、あるいは、手の甲領域４１のみに取外用部材５を接続するものとしてもよい。
【００２２】
また、取外用部材５は、折り返される部分が長いほど引っ張りやすくなるので、取外用部材５を折り返したときに手部３１に至るまで長く形成してもよい。この場合には、手部３１に面ファスナーを設けることで、取外用部材５を手部３１における手の甲側に係着させることができる。
【００２３】
さらに、図４に示すように、取外用部材５を、舌片５１と、紐５２と、フラップ５３と、から形成する構成としてもよい。すなわち、取外用部材５は、舌片５１が上述したように、指部４の先端における手の甲領域４１から手の平領域４２内に至るまで連続して接続されており、舌片５１の他端に紐５２が接続され、全ての指部４から延在する紐５２の端部をフラップ５３にまとめられた構成としてもよい。このような構成とすることにより、フラップ５３を指先方向に引っ張ることで全ての指を同時に抜くことができる。
【００２４】
次に、他の実施形態について述べる。なお、上記実施形態と同一の部材には同一の符号を付して述べる。上記実施形態では、取外用部材５を指部４のａ点からｂ点まで連続したヒレ状部材としていたが、紐状部材で構成することもできる。本実施形態の手袋１は、図５（ａ）及び図５（ｂ）に示すように、指部４の先端のａ点、ｂ点、ｃ点、ｄ点に取外用部材５である紐状部材が夫々接続され、各紐状部材の他端が一つにまとめられている。すなわち、取外用部材５は、指部４の先端における手の甲領域４１の２点と手の平領域４２の２点に接続されている。
【００２５】
このように取外用部材５を紐状部材で構成し、指部４に接続した場合であっても上記実施形態と同様に、指部４の周りにバランスよく引く力を伝えることができるため、指部４から容易に指を抜くことができる。また、取外用部材５が紐状部材であるため、手袋１の着用時に取外用部材５が作業の妨げになることもない。なお、手に装着したときに余裕があるタイプの手袋であれば、指部４の先端における手の甲領域４１の２点と中心線ｌ上の２点に取外用部材５を接続するものとしてもよい（図３（ｃ）参照）。
【００２６】
さらに、別の実施形態について述べる。本実施形態における手袋１では、図６（ａ）及び図６（ｂ）に示すように、取外用部材５がヒレ状部材と紐状部材を組み合わせて構成されている。ヒレ状部材は、指部４の先端におけるｃ点とｄ点間に連続して接続されており、紐状部材は、指部４の先端におけるａ点とｂ点に接続され、紐状部材の他端は、ヒレ状部材と接続されている。すなわち、取外用部材５は、指部４の先端に手の甲領域４１では連続したヒレ状部材として接続され、手の平領域４２では紐状部材により点で接続されている。なお、図６（ａ）においては、取外用部材５のヒレ状部材を分かりやすくするために取外用部材５のヒレ状部材にハッチングを描いている。手に装着したときに余裕があるタイプの手袋の場合、紐状部材は、指部４の先端における中心線ｌ上の２点に接続されるものとしてもよい（図３（ｃ）参照）。
【００２７】
このように取外用部材５をヒレ状部材と紐状部材を組み合わせて構成した場合も、上記各実施形態と同様に、指部４の周りにバランスよく引く力を伝えることができるため、指部４から容易に指を抜くことができる。
【００２８】
すなわち本実施形態における手袋１は、指先開放型の手袋本体３と、指部４の先端に接続された取外用部材５と、を備えてなり、取外用部材５は、指部４の手の平領域４２と手の甲領域４２のいずれにも接続されているものである。また、手との間に余裕があるタイプの手袋の場合、取外用部材５は、指部４の手の甲領域４１と中心線上のいずれにも接続されているものである。
【００２９】
また、本考案は、以上の実施の形態に限定されるものではなく、考案の趣旨を逸脱しない範囲であらゆる設計変更が可能である。例えば、上述した実施の形態では、手袋本体３の全ての指部４ａ〜４ｅが先端を切断された手袋１を用いているが、一部の指部４のみが切断された手袋１にも同様の構成を適用でき、また、指先を切断されていない手袋にも適用可能である。さらに、必ずしも全ての指部４の先端に取外用部材５を設ける必要はなく、一部の指部４のみに取外用部材５を設ける構成としてもよい。また、上述した実施の形態では、取外用部材５を手袋本体３に係着させるために面ファスナーを用いているが、粘着性部材を用いるなど取外用部材５を手袋本体３に係着させることができ、かつ、容易に取外すこともできれば特に限定されるものではない。
【００３０】
さらに、上述した実施形態では、取外用部材５を指部４の先端に接続するものとしているが、指部４の先端近傍、すなわち、指部４の内側に接続するものとしてもよい。また、上記実施形態では、複数の布材が縫製されて指部４を形成していたが、一枚の布材（弾性素材も含む）で指部４を形成するタイプの手袋１でも同様の作用効果が得られる。さらに、上述した実施形態では、取外用部材５を指部４と別部材で構成していたが、指部４を構成する部材を指先側に延長させることで、取外用部材５と指部４を同一成型する構成としてもよい。すなわち、取外用部材５を指部４の先端、又は、先端近傍に接続するとしているが、指部４の先端から取外用部材５が外方に延在していればよく、指部４と取外用部材５が同一の部材で一体成型されているものも特許請求の範囲に含まれる。
【符号の説明】
【００３１】
１  手袋
３  手袋本体
４  指部
４ａ  親指部
４ｂ  人差し指部
４ｃ  中指部
４ｄ  薬指部
４ｅ  小指部
５  取外用部材
３１  手部
４１  手の甲領域
４２  手の平領域
５１  舌片
５２  紐
５３  フラップ
【図１】
0003178845.tif 000003
【図２】
0003178845.tif 000004
【図３】
0003178845.tif 000005
【図４】
0003178845.tif 000006
【図５】
0003178845.tif 000007
【図６】
0003178845.tif 000008